(57)【要約】【課題】  変圧器の内部で、端子の切換を行うために、作業員が中に手を入れることなしに、上部の開口から使用する工具のみを入れて作業できるようにして、作業性を良好に維持できるようにする。【解決手段】  タップ変更工具２０は、２つのソケットドライバー３０、３１と、ピックアップツール２５とを保持用本体２１に設けており、固定用したドライバー３０に対し、他の１つのドライバー３１を移動可能な手段を介して設けている。そして、保持用の爪２８を用いて切換部の接続片を保持して、ドライバー３０、３１によるネジ回しを行わせるようにして、作業員が直接触らないで、作業を行い得るようにする。【選択図】          図５
2006339422.tif 000002
【特許請求の範囲】
【請求項１】
変圧器の内部に設ける巻線部に、高電圧側の入力部に変圧比を変更するための入力端子を複数設けてなる切換部に対し、
前記切換部に設けてなるタップ台での接続片を付け換えることで、出力側の電圧値を目的値に維持するために用いる工具であって、
前記接続片を保持する保持部材と、前記接続片に支持させる２つのナットを回転させるためのソケットドライバーと、を、１つの保持用フレームに設け、
前記接続片の中央部を保持部材の爪で固定保持し、
両側のナットをソケットドライバーにより回転させて、接続片の位置を変更できるように構成したことを特徴とする変圧器のタップ変更に用いる工具。
【請求項２】
前記保持用フレームに設ける２つのソケットドライバーでは、その１つのものを前記保持用フレームの端部に固定保持させ、
他の１つのソケットドライバーは、前記フレームに対して移動と固定とが可能な状態で保持させて、
２つのソケットドライバーの間隔を、接続片を取り付けている２つのナットの間隔に応じて、任意に変化させ得るように構成することを特徴とする請求項１に記載の変圧器のタップ変更に用いる工具。
【請求項３】
前記保持用フレームに支持される２つのソケットドライバーの間で、保持部材に設けるつかみ具は、その本体を可曲性を有するものとして構成することを特徴とする請求項１に記載の変圧器のタップ変更に用いる工具。
【請求項４】
前記保持用フレームに支持される２つのソケットドライバーと、保持部材とは、変圧器の上の開口とタップ台との間隔に対応させて、ナットに係合する先端ツールと、保持部材のつかみ爪の各々の位置を、それぞれ調節可能なものとして構成することを特徴とする請求項１ないし３のいずれかに記載の変圧器のタップ変更に用いる工具。
【請求項５】
前記保持用フレームにはランプホルダーを装着し、工具の間から変圧器の内部を照らすようにしたことを特徴とする請求項１に記載の変圧器のタップ変更に用いる工具。
【発明の詳細な説明】
【技術分野】
【０００１】
本発明は、変圧器の出力端子の切り換えに用いる工具に関し、特に、配電線に供給する電圧を変更するために、作業員が変圧器の中に手を入れずに、タップの切り換え作業を行い得るようにする工具に関する。
【背景技術】
【０００２】
電気の使用場所で使用する電気機器には、定格電圧が設定されており、適正な電圧で給電する必要がある。前記定格電圧で給電するために、高圧配電線の交流６６００Ｖから、変圧器で交流２００Ｖまたは１００Ｖの電圧に変換されて、各電気機器に給電される。ところが、一般の配電線の電圧は、電源部分から末端に行くほど電圧が低下し、配電線に接続された受電設備での受電電圧が変化する。一般の電気機器に給電する電圧は、交流１００Ｖまたは２００Ｖなどの適正電圧に保つ必要があり、その給電電圧が低下するという状態が発生しないようにするために、変圧器のタップの切り換えを行うことで対処できるようにしている。そのために、一般の変圧器では、変圧器の変圧比が異なるように、タップを設けており、高圧配電線に接続しているタップ端子を選択することで、電圧の変圧比を変更して、低圧側の給電電圧を一定の値（１００または２００Ｖ）に保持させるようにする手段が用いられている。
【発明の開示】
【発明が解決しようとする課題】
【０００３】
前記変圧器では、巻線と切り換えタップおよび、出入力端子が、変圧器の金属製の本体の外側部材としての容器の中で、絶縁油の中に浸される状態で保持されている。したがって、前記タップ端子の切り換えを行うためには、容器の上部開口から手袋を着用した手を入れて、絶縁油の中でドライバー等の工具を用いて、タップのねじを回して着脱する等の処理を行っていたが、油の中で手袋を着用したままでは。作業性が非常に悪く、工具や部品を落としたりすることも多くあった。また、変圧器の中に収容されている絶縁油は、一旦暖められると温度が低下しにくく、熱い油によって火傷をする恐れがあり、その油の温度が低下させてから、低温の油の中に手を入れて作業するとしても、後で油で汚れた手を綺麗にすることは面倒である。また、変圧器の上部に設けられている開口部は、大きな工具を手で持って入れたりするには狭すぎて、手を入れた状態では中の様子が見られない等の、作業性を阻害する不都合な状態がある。
【０００４】
本発明は、変圧器の上部の狭い開口部から工具のみを入れて、手を外に出したままでタップ端子の切り換えを容易に行い得て、作業性の良好な変圧器のタップ変更に用いる工具を提供することを目的としている。
【課題を解決するための手段】
【０００５】
本発明は、変圧器の内部に設ける巻線部に、高電圧側の入力部に変圧比を変更するための入力端子を複数設けてなる切換部に対し、
前記切換部に設けてなるタップ台での接続片を付け換えることで、出力側の電圧値を目的値に維持するために用いる工具に関する。
請求項１の発明は、前記接続片を保持する保持部材と、前記接続片に支持させる２つのナットを回転させるためのソケットドライバーと、を、１つの保持用フレームに設け、
前記接続片の中央部を保持部材の爪で固定保持し、
両側のナットをソケットドライバーにより回転させて、接続片を位置決めできるように構成したことを特徴とする。
【０００６】
請求項２の発明は、前記保持用フレームに設ける２つのソケットドライバーでは、その１つのものを前記保持用フレームの端部に固定保持させ、
他の１つのソケットドライバーは、前記フレームに対して移動と固定とが可能な状態で保持させて、
２つのソケットドライバーの間隔を、接続片を取り付けている２つのナットの間隔に応じて、任意に変化させ得るように構成することを特徴とする。
【０００７】
請求項３の発明は、前記保持用フレームに支持される２つのソケットドライバーの間で、保持部材に設けるつかみ具は、その本体を可曲性を有するものとして構成することを特徴とする。
【０００８】
請求項４の発明は、前記保持用フレームに支持される２つのソケットドライバーと、保持部材とは、変圧器の上の開口とタップ台との間隔に対応させて、ナットに係合する先端ツールと、保持部材のつかみ爪の各々の位置を、それぞれ調節可能なものとして構成することを特徴とする。
請求項５の発明は、前記保持用フレームにはランプホルダーを装着し、工具の間から変圧器の内部を照らすようにしたことを特徴とする。
【０００９】
前述したように構成することにより、本発明の工具においては、変圧器の上部の開口が非常に狭いものであっても、その開口の上で工具を回転させてナットを着脱することができるので、安全に作業を行うことができる。また、２つのソケットドライバーの中間部の保持部材が、任意の方向に曲げた状態でも、つかみ爪で接続片の中央部を固定保持でき、両側のナットに対するソケットドライバーに、その位置決めを容易に行わせることができる。さらに、開口部とナットとの間隔に応じて、追加ツールを組み合わせて用いるので、工具を回転させる作業場所が、常に変圧器の上部の広い空間とすることができ、作業能率を向上させることができる。そして、前記保持用フレームの中央部で接続片を保持部材で保持していることで、その両端部のナットに対して、ソケットドライバーを安定した状態で係止させて全部を一緒に移動させることもでき、部品を落下させたりすることなしに、移動させることが可能である。
【発明の実施の形態】
【００１０】
図示される例にしたがって、本発明のタップ変更工具の説明を行うが、最初に、本発明の専用工具を使用するに適した変圧器の構成を説明する。図１に示すように、変圧器の巻線部は、６６００Ｖを入力する高電圧側と、２００Ｖまたは１００Ｖの出力を行う低電圧側とにそれぞれ接続されており、前記巻線部としては、一般的な変圧器の場合と同様に、高圧側巻線３ａと、低電圧側巻線３ｂとを、それぞれの端子に接続している。また、前記巻線部３は、図２に示すように、本体容器の中で、冷却用の絶縁油４の中に位置されるものであり、前記巻線部３の上部には、切換部５のタップ台６が設けられており、前記タップ台６に多数本設けているボルト７……のうちの２つを、接続片１０により接続することで、低電圧出力側での出力電圧を、目的の値に維持させるように調節する。
【００１１】
前記タップ台６には、図３に示すように、多数本のボルト７、７ａ……が、突出配置されており、例えば、ボルト７と７ａとを接続片１０により接続すると、６３００Ｖに対応するものとされ、前記ボルト７と７ｂとを接続すると、６１５０Ｖに対応するようにされる。つまり、低電圧出力側の電圧を一定に維持しようとする場合に、高圧受電側の端子での入力電圧が低下しているときには、正常な高電圧が６６００Ｖとされるのに対して、６４５０Ｖまたはそれ以下の入力電圧とすることで、出力される低電圧出力側の電圧を、１００Ｖに維持できるようにするものである。
【００１２】
前記前記切換部５において、タップ台６での接続片１０の付け換えを行う作業は、前記図２に示したように、変圧器の本体の上部に設けている狭い開口２から、作業者が手を入れて作業している。その際には、ペンチ等の工具を用いてナットの着脱を行うとともに、接続片１０の移動や付け換え作業を行うようにしているが、前記変圧器の上部の開口２の巾Ｗが狭いものであり、開口部からタップ台６との間隔Ｈが１０ｃｍ以上もあり、油の中でボルトの着脱等を行う必要がある。さらに、狭い入り口から手を入れての作業では、直接目で確認できないような不便な仕事を強いられることが多くあり、ナットのような部品を落としてしまったりすると、それを回収するために、余計に面倒な仕事をしなければならない。
【００１３】
そこで、前述したような接続片の着脱の作業に際して、ナット等の部品が離れたりしないように、図４に示すように、接続片１０の本体１１に対してナット１５を保持できるようなしたものを用いている。前記接続片１０においては、２つのナット１５……を本体１１の両側部分に保持するとともに、タップ台に設けているボルト７……の間隔が違っていても、ナットの間隔に容易に合わせることができるようにしたものを用いている。そのためには、ナット１５の中間部を小径なものとして、その小径部を上折片１２の溝１３に挿入して、前記溝１３により本体の長さ方向に移動可能であるが、抜け出さないように保持させている。
【００１４】
なお、前記接続片１０の形状と、ナットの構造等は、図示されるようなものを用いることに、特に限定されるものではない。また、タップ台に設けているボルトに対して、接続片１０に設けているナット１５の形状や溝１３の構造、および、ナットの本体に対する摺動・案内手段、その他の条件は、従来より一般に用いられているものを、そのまま使用することが可能である。さらに、部品の脱落を防止するために必要な構成を、従来の接続片に加えて任意に形成できるものである。
【００１５】
前記タップ台のボルトに対して、接続片の取り付け位置を変更するために、本発明においては、図５に示すようなタップ変更工具２０を用いて、作業員が変圧器の中に手を入れルことなしに、端子の切り換えを行い得るようにしている。図５に示すタップ変更工具２０の例では、２つのソケットドライバー３０、３１と、ピックアップツール２５とを保持用本体２１に設けているもので、前記タップ変更工具２０では、保持用本体２１の一端部に固定用のドライバー保持部２２を設けている。また、他の１つのドライバー保持部２３を、移動・固定手段３２を介して設けており、前記移動・固定手段３２に設けた移動・固定手段を用いて、変圧器のタップ台に設けたナットに対して、それぞれのソケットドライバー３０、３１を設け、それ等の２つのソケットドライバーの間隔を、任意に変更可能に構成している。
【００１６】
前記２つのドライバー保持部２２、２３の間には、切換部５の接続片１０を保持して、ソケットドライバー３０、３１によるネジ回しを行わせるために、ピックアップツール２５を設けている。前記ピックアップツール２５としては、図示される例のように、中間部をフレキシブルな部分２７として、上部にプッシュハンドル２６を、下端部２８から３つのつかみ爪２９……を出没させるような構成のものを用いている。そして、前記ピックアップツール２５を操作して、接続片１０の中央部をつかみ爪２９により保持することで、タップ変更工具２０を接続片１０に対して位置決めできるようにする。
【００１７】
その後に、前記接続片１０の両側部に位置されるナット１５…１５に対して、２つのソケットドライバー３０、３１のソケットをはめ込み、ナットを回して本体のボルトからナットを外すようにする。なお、前記ソケットドライバー３１に対して設けている移動・固定手段３２は、任意の構造の部材を用いることが可能であるが、図示される例では、ハンドル３３を用いて保持用本体２１に対する固定と移動を可能なものしている。そして、前記２つのソケットドライバー３０、３１の間で、本体に支持されているピックアップツール２５は、フレキシブルなパイプ状の部材の中に、つかみ爪２９を出没させるロッドを設けているものであるから、保持用本体２１に対して固定位置に保持していても、ソケットドライバー３０との間隔を容易に調整できる。したがって、前記ピックアップツール２５に対して設ける保持用本体２１のホルダー部は、特に、移動可能なものとすることは必要とされない。
【００１８】
前記タップ変更工具２０に設けるピックアップツール２５では、前記接続片をつかむために、図６に示すように、３つの掴み部材を先端部２８から出没させるように構成している。そして、プッシュハンドル２６を押して、前記つかみ爪２９を突出させることで、前記３つの爪により接続片１０をつかんで、ハンドルを推す状態から開放して、ロッドを自動的に引っ込めるようにすると、前記接続片１０を３つの爪により保持した状態で固定される。そこで、前記接続片の保持位置に対して、２つのソケットドライバー３０、３１の位置が違っている場合には、フレキシブル部２７を介してピックアップツールの２５ロッド部分を曲げて、接続片１０の両端部に位置される２つのナット１５……に対して、ドライバーの先端部が位置されるようにする。そして、前記接続片１０を保持した状態で、ナットを回転させてボルトから外すことにより、接続片とナットとを一体化した状態で、元の接続片１０の接続位置から外される。
【００１９】
その後に、タップ変更工具２０により保持している接続片１０の両端のナットを、別の２つの端子に対して位置決めし、その位置にあるボルトに対してナットをそれぞれ捩じ込むことで、新たな端子に対する取り付けを行うことができる。そして、前記ナットを締め付けて接続片を付け換えることで、高電圧側の端子の接続の変更が行われることになり、その後に、ピックアップツール２５による保持状態を解消すれば、タップ変更工具を変圧器から引き上げて作業を終了する。
【００２０】
前記タップ変更工具２０を用いて、接続片の付け換えを行う際に、変圧器の中が見えにくいときには、図７に示すように、タップ変更工具２０の保持用本体２１にランプホルダー４０を取り付けて、中の作業箇所を照らすようにして作業を行うことができる。前記ランプホルダーには、小型で明かるく照らし得る高性能のランプを取り付ければ、変圧器内部の作業位置を照明することが可能となり、作業の能率を向上させることができる。
【００２１】
なお、前述したように構成してなるタップ変更工具２０では、変圧器１の上部の開口２の面積が非常に狭くて、手を容易に挿入できない状態であっても、タップ変更工具２０のピックアップツール２５とソケットドライバーとを長いものとして構成することで容易に対処できる。その場合には、手で操作する部分を、開口の上に出しておいた状態で、接続片を掴んだり、ナットを回したりできるように、各工具を長いものとして構成することで対処可能にする。例えば、ソケットドライバー３０において、ハンドル部３５のロッド本体３６に対して、長短の任意の長さの追加ロッド３７を設け、さらに、その追加ロッド３７の先端部に先端部ツール３８を取り付けるようにしても良い。
【００２２】
また、前記タップ変更工具２０の２つのソケットドライバーの間に位置させるピックアップツール２５は、上に突出させる部分が少しくらい長くても、操作の邪魔になることはないことになる。そこで、ドライバーの追加ロッド３７の長さに合わせて、ハンドル部分を上下動させることで、容易に対応させることができる。前記ソケットドライバーの先端部に取り付ける先端部ツール３８としては、対象とするナットの形状・構造に合わせて、任意の構成のものを取り付けて対処させることが可能である。その他に、前記タップ変更工具２０を使用する変圧器において、上部開口２からタップ台６との間隔が異なる場合には、前述したように、追加ロッドをそれに適合する長さのものを使用して、容易に対処が可能なものとされる。
【００２３】
さらに、前記ナット２０においては、ソケットドライバーの追加ロッドを付け換えることで、変圧器の開口から接続片の位置に対処させるようにするが、変圧器の大きさや種類に応じて、専用の長さのソケットドライバーとピックアップツールとを有する工具を用いるようすれば、メンテナンスに際しての装置の操作性を、より向上させることができることは勿論である。また、前記ナットに対する工具の先端部ツール３８としては、ナットの形状・構造に対処可能な専用のサイズのものを用いることが可能であり、その他に、ソケットドライバーにより着脱するねじ部材の対象として、前記ナットではなしに、ボルトを回転させるようにしても良い。
【図面の簡単な説明】
【００２４】
【図１】変圧器の端子の関係を示す概念図である。
【図２】変圧器の側面図としての説明図である。
【図３】変圧器の切換部に設けるタップ台の説明図である。
【図４】タップ台に配置する接続片とナットの説明図である。
【図５】本発明のタップ変更工具の説明図である。
【図６】ピックアップツールのつかみ爪の説明図である。
【図７】タップ変更工具にランプ保持部材を設ける例の説明図である。
【符号の説明】
【００２５】
１    変圧器、  ２    上部開口、  ３    巻線部、  ４    絶縁油、
５    切換部、  ６    タップ台、  ７    ボルト、
１０    接続片、  １１    本体、  １２    上折片、  １３    ナット保持溝、
１５    ナット、  ２０    タップ変更工具、  ２１    保持用本体、
２２・２３    ドライバー保持部、
２５    ピックアップツール、  ２６    プッシュハンドル、
２７    フレキシブル部、  ２８    先端部、  ２９    つかみ爪、
３０・３１    ソケットドライバー、  ３２    移動・固定手段、  
３５    ドライバーハンドル、  ３６    本体、  ３７    追加ロッド、
３８    先端部ツール、  ４０    ランプホルダー。
【図１】
2006339422.tif 000003
【図２】
2006339422.tif 000004
【図３】
2006339422.tif 000005
【図４】
2006339422.tif 000006
【図５】
2006339422.tif 000007
【図６】
2006339422.tif 000008
【図７】
2006339422.tif 000009